(57)【特許請求の範囲】
【請求項１】
略矩形の基板と、
前記基板の下面両側に互いに対向するように突設され、前記基板の下面に沿ってその前端側から挿入されるＩＣカードの幅方向の移動を互いに対向する壁面で両側から規制する一対の幅方向規制部と、
前記一方の幅方向規制部の下縁に沿って設けられ、ＩＣカードの幅方向の一方の縁部の下方への移動を規制するレール部と、
前記基板の下面の後端側に設けられ、前記幅方向規制部によって幅方向の移動が規制され且つ前記レール部によって幅方向の一方の縁部の下方への移動を規制された状態で進入するＩＣカードの先端に当接して、ＩＣカードを所定位置で停止させるストッパと、
前記ストッパより前方の位置で前記基板に対して上下動自在に支持され、下面側に複数の接触子を有する接触子ブロックと、
前記複数の接触子と前記ストッパとの間の位置範囲でＩＣカードの挿入を検知する検知部材とを備え、
前記検知部材によって検知されて前記所定位置まで進入したＩＣカードの一面側に前記接触子ブロックを移動して前記複数の接触子をＩＣカードの端子に接触させ、該ＩＣカードとの間で情報の授受を行うＩＣカード処理装置において、
前記一方の幅方向規制部が前記基板の前端から前記ストッパ近傍までほぼ連続的に形成され、
前記他方の幅方向規制部は、前記基板の前端近傍に設けられた第１規制部と、前記ストッパ近傍に設けられた第２規制部とからなり、前記第１規制部と第２規制部との間が側方へ向かって開口または前記一方の幅方向規制部の壁面からの距離がＩＣカードの幅寸法に対して十分広くなるように形成されているとともに、
前記検知部材は、前記複数の接触子群の後方位置から前記他方の幅方向規制部の第２規制部の間でＩＣカードの挿入を検知することを特徴とするＩＣカード処理装置。
【発明の詳細な説明】
【０００１】
【発明の属する技術分野】
本発明は、一面側に複数の接触子が設けられた接触子ブロックを有し、所定位置まで受け入れたＩＣカードの一面側の各接点に前記接触子ブロックの各接触子を接触させてＩＣカードとの間で信号の授受を行うＩＣカード処理装置において、カード状の異物の挿入による接触子の損傷を防ぐための技術に関する。
【０００２】
【従来の技術】
ＩＣカードに対する情報の読み書きを行うＩＣカード処理装置では、所定位置まで受け入れたＩＣカードの一面側に設けられた複数の接点にそれぞれ接触子を接触させて、各接点と接触子との電気的な接続によってＩＣカード内の回路と交信を行うように構成されている。
【０００３】
このようなＩＣカード処理装置は、例えば公衆電話機のように不特定な者が使用する機器にも多く使用されており、異物の挿入等のいたずらの被害を受けることが多い。
【０００４】
このため、従来のＩＣカード処理装置では、ＩＣカードを受け入れる部分の下面側を大きく開口させて、挿入された異物を下方に落下排出させている。
【０００５】
図２３〜図２７は、挿入された異物を落下排出させるように構成された従来のＩＣカード処理装置５の概略構造を示している。
【０００６】
このＩＣカード処理装置５では、カードスロット６の前面側に横長に設けられたスリット７から挿入されたＩＣカードを処理装置本体８の矩形状の基板９の下面側に受け入れる。
【０００７】
基板９の下面両側には、挿入されたＩＣカードの幅方向の移動を両側から規制するための一対の規制部１０、１１が基板９の前端から後端近傍まで連続するように形成されている。
【０００８】
一方の規制部１０の下縁にはＩＣカードの幅方向の一方の縁部を下方から支持して下方への移動を規制するレール部１２が形成され、規制部１０、１１の後端間にはＩＣカードの先端縁を下方から支持する支持部１３が設けられている。
【０００９】
また、支持部１３の奥側には、ＩＣカードの先端に当接してＩＣカードを所定位置で停止させるストッパ１４が設けられており、ストッパ１４の前方には、所定位置まで受け入れたＩＣカードの一面側の複数の端子に接触させるための複数の接触子１５を下面側に有する接触子ブロック１６が上下動自在に支持されている（支持機構は図示せず）。
【００１０】
また、ストッパ１４と接触子ブロック１６の間には、ＩＣカードの挿入を検知するための検知部材１７の一端側が突出している。この検知部材１７は、ＩＣカードの挿入力を一端側で受けて他端側を移動させて接触子ブロック１６をＩＣカードの一面側に下降させ、ＩＣカードの端子に接触子１５を接触させて、ＩＣカードに対する情報の授受を可能にする（支持機構は図示せず）。
【００１１】
このように構成されたＩＣカード処理装置５では、正規のＩＣカード１がカードスロット６のスリット７から挿入されると、一対の規制部１０、１１の内壁面でＩＣカード１の幅方向の移動を規制し、且つレール部１２によってＩＣカード１の幅方向の一方の縁部を下方から支持しながら奥まで案内し、図２８の（ａ）のように、支持部１３上に達したＩＣカード１の先端を検知部材１７の一端に当接させる。
【００１２】
ＩＣカード１がさらに押されると、図２８の（ｂ）のように、検知部材１７が回動して接触子ブロック１６を下降させ、ＩＣカード１の先端がストッパ１４に当接する所定位置まで達したときに、接触子ブロック１６の各接触子１５がＩＣカード１の一面側に設けられた各端子（図示せず）に適度な接触圧で接触する。これによってＩＣカード１に対する情報の処理が可能となる。
【００１３】
また、このＩＣカード処理装置５は、ＩＣカードの幅方向の一方側では、その幅方向の移動と下方への移動を規制し、他方側では幅方向の移動だけを規制した状態で所定位置まで案内するようにしているので、カードスロット６のスリット７を通過した異物を下面側から排出させることができる。
【００１４】
例えば図２９の（ａ）に示すように、幅が正規のＩＣカードと同等で、長さがスリット６から支持部１３の前縁までの距離より短いカード状の異物２が挿入された場合、この異物２の後端が基板９の前端を通過すると、その異物２の規制部１０側の縁部はレール部１２によって下方から支持されるが、他方の縁部側に対する下方からの支持がないため、この異物２は、図３０に示しているように他方の縁部側が下降して傾き、この傾きによって一方の縁部側がレール部１２から外れる。このため、異物２は、図２９の（ｂ）のように基板９の下方へ落下排出されることになる。
【００１５】
【発明が解決しようとする課題】
ところが、上記したＩＣカード処理装置５において、図３１の（ａ）のように、カード状の異物２の後端がスリット７を僅かに超えた位置まで挿入された状態で正規のＩＣカード１が挿入されると、異物２はその後端をＩＣカード１に押されて奥へ進入する。
【００１６】
このとき、ＩＣカード１の挿入速度が遅い場合、異物２は、その先端が支持部１３に達する前にレール部１２から外れて前記したように落下排出されて、ＩＣカード１を所定位置まで挿入することができるが、ＩＣカード１の挿入速度が速い場合には、異物２の一方の縁部がレール部１２から外れる前にその先端が支持部１３に達し、検知部材１７を可動させてストッパ１４に当接する位置まで進入してしまい、図３１の（ｂ）に示すように、この異物２に対して接触子ブロック１６を下降させて接触子１５を接触させる。
【００１７】
そして、このように異物２に対して接触子１５が接触した状態で、ＩＣカード１を無理に押し込むと、そのＩＣカード１の先端が異物２と基板９の間を通過して接触子１５に衝突し、接触子１５を破損してしまい、以後機器の利用が不能となってしまう。
【００１８】
本発明は、この問題を解決して、カード状の異物とＩＣカードとの２重挿入による接触子の損傷を防ぐことができるＩＣカード処理装置を提供することを目的としている。
【００１９】
【課題を解決するための手段】
前記目的を達成するために、本発明のＩＣカード処理装置は、
略矩形の基板と、
前記基板の下面両側に互いに対向するように突設され、前記基板の下面に沿ってその前端側から挿入されるＩＣカードの幅方向の移動を互いに対向する壁面で両側から規制する一対の幅方向規制部と、
前記一方の幅方向規制部の下縁に沿って設けられ、ＩＣカードの幅方向の一方の縁部の下方への移動を規制するレール部と、
前記基板の下面の後端側に設けられ、前記幅方向規制部によって幅方向の移動が規制され且つ前記レール部によって幅方向の一方の縁部の下方への移動を規制された状態で進入するＩＣカードの先端に当接して、ＩＣカードを所定位置で停止させるストッパと、
前記ストッパより前方の位置で前記基板に対して上下動自在に支持され、下面側に複数の接触子を有する接触子ブロックと、
前記複数の接触子と前記ストッパとの間の位置範囲でＩＣカードの挿入を検知する検知部材とを備え、
前記検知部材によって検知されて前記所定位置まで進入したＩＣカードの一面側に前記接触子ブロックを移動して前記複数の接触子をＩＣカードの端子に接触させ、該ＩＣカードとの間で情報の授受を行うＩＣカード処理装置において、
前記一方の幅方向規制部が前記基板の前端から前記ストッパ近傍までほぼ連続的に形成され、
前記他方の幅方向規制部は、前記基板の前端近傍に設けられた第１規制部と、前記ストッパ近傍に設けられた第２規制部とからなり、前記第１規制部と第２規制部との間が側方へ向かって開口または前記一方の幅方向規制部の壁面からの距離がＩＣカードの幅寸法に対して十分広くなるように形成されているとともに、
前記検知部材は、前記複数の接触子群の後方位置から前記他方の幅方向規制部の第２規制部の間でＩＣカードの挿入を検知することを特徴としている。
【００２０】
【発明の実施の形態】
以下、図面に基づいて本発明の実施形態を説明する。図１〜図１１は、本発明を適用したＩＣカード処理装置２０およびその要部の構成を示している。
【００２１】
このＩＣカード処理装置２０は、図１〜図４に示しているように、カードスロット２１と処理装置本体３５とによって構成されている。
【００２２】
カードスロット２１は、図１のようにＩＣカードを利用する機器（例えば公衆電話機）の筐体１の表面に取り付けられて、ＩＣカードを処理装置本体３５内へ案内する。
【００２３】
カードスロット２１は、上下に対向する凹状の上板２２、下板２３と、上板２２の左右の突出部２２ａ、２２ｂの両側縁と下板２３の左右の突出部２３ａ、２３ｂの両側縁の間をそれぞれ塞ぐ側板２４〜２７と、上板２２の突出部２２ａ、２２ｂの前縁と下板２３の突出部２３ａ、２３ｂの前縁の間をそれぞれ塞ぐ前板２８、２９と、上板２２の中央部２２ｃの前縁と下板２３の中央部２３ｃの前縁の間をそれぞれ塞ぐ前板３０とを有し、内部が中空状に形成されている。
【００２４】
外側の側板２４、２５には、このカード処理装置２０全体を機器の筐体１にネジ止め固定するためのフランジ３１が設けられ、下板２２の後端両側には、処理装置本体３５を支持固定するための支持部３２、３３が延設されている。
【００２５】
また、左右の前板２８、２９、内側の側板２６、２７および中央の前板３０には、ＩＣカードを前方から背面側へ通過させるための横長のスリット３４が形成されている。
【００２６】
スリット３４の高さは、正規のＩＣカード１枚の厚さより大で、正規のＩＣカード２枚分の厚さより小となるように設定され、スリット３４の幅は、正規のＩＣカードの幅より僅かに大となるように設定されている。
【００２７】
カードスロット２１の背面側に設けられた処理装置本体３５は、ベース部材３６、レール部材９５およびカバー１００が上下３段に重ね合わされるように一体化されて構成されている。
【００２８】
ベース部材３６は、図５に示しているように、略矩形状の基板３７と、基板３７の両側の縁に沿って互いに対向するように上方に立設された側板３８、３９、側板３８、３９の後端を連結するように基板３７の後部の縁に沿って立設された後板４０、側板３８、３９の前端を連結するように基板３７の前部の縁に沿って立設された前板４１とによって形成されている。
【００２９】
基板３７の下面３７ａの右端には、カードスロット２１のスリット３４から挿入されるＩＣカードの幅方向の一方側への移動を規制するための第１の規制部４３が形成されている。この第１の規制部４３は、この実施形態の１対の幅方向規制部の一方側を形成するものである。
【００３０】
第１の規制部４３は基板３７の下面３７ａからの高さが一定で基板３７の前端から後端近傍まで連続するように突出し、その内側の壁面４３ａは、カードスロット２１のスリット３４の一端側の内壁面を後方へ延長した面と一致しており、スリット３４から挿入されたＩＣカードの一方の側端面を壁面４３ａに摺接させるようにしてＩＣカードを前後方向に移動させる。
【００３１】
第１の規制部４３の内側には、図１１に示しているように、基板３７の上面３７ｂ側へ所定深さで陥没する所定幅の溝４４が、基板３７の前端から後端近傍まで連続形成されている。溝４４の外側の内壁面は第１の規制部４３の壁面４３ａと連続している。
【００３２】
また、基板３７の中央やや後方には、図７、図８および図１０に示しているように、後述する接触子ブロック７０の接触子部分を通過させるための矩形の穴４５が上下に貫通形成され、その穴４５の後部には、後述する可動部材８５の第２の板部８７を通過させるための矩形の穴４６が上下に貫通形成されている。
【００３３】
穴４５の両側には、接触子ブロック７０を上下動および揺動自在に支持するための支持部材として支持軸４７、４８が立設され、支持軸４７、４８の後方には、後述する軸９２の両端を支持する軸受４９、５０が立設されている。また、一方の軸受５０の後方には、バネフック５１が突設されている。
【００３４】
基板３７の下面３７ａ側のほぼ中央には、前部から後部まで所定幅で下方に僅かに突出し、カードスロット２１のスリット３４から挿入されたＩＣカードを、その先端が接触子ブロック７０に当接しないように規制する第２の規制部５２が形成されている。
【００３５】
また、穴４６の両側には、基板３７の下面３７ａから第２の規制部５２よりもさらに大きい突出長で下方に突出し、挿入されたＩＣカードの先端に当接して、ＩＣカードの進入を停止させるストッパ５３が形成されている。このストッパ５３は、第１の規制部４４と同一の高さを有している。
【００３６】
基板３７の下面３７ａの前端の左端には、第３の規制部５５が下方へ突設されている。第３の規制部５５は、後述する第４の規制部５６とともに、この実施形態の他方の幅方向規制部を形成するものであり、四角柱状に形成され、その内側の壁面５５ａは、カードスロット２１のスリット３４の他端側内壁面を後方へ延長した面と一致しており、第１の規制部４３の壁面４３ａとの間でＩＣカードの幅方向の移動を規制している。
【００３７】
基板３７の下面３７ａの後端の左端には、第４の規制部５６が下方へ突設されている。第４の規制部５６は、第３の規制部５５と同様にほぼ四角柱状に形成され、その内側の壁面５６ａは、第３の規制部５５の内壁面５５ａを後方へ延長した面と一致しており、第１の規制部４３の壁面４３ａとの間でＩＣカードの幅方向の移動を規制している。なお、第３の規制部５５と第４の規制部５６の間は側方へ向かって開口している。
【００３８】
前板４１の前面側両端にはシャッタ支持部５７、５８が突設されている。シャッタ支持部５７の内壁は、第１の規制部４３の内側の壁面４３ａと連続し、シャッタ支持部５８の内壁は、第３の規制部５５の内側の壁面５５ａと連続していて、ＩＣカードの幅方向の移動を規制する。
【００３９】
シャッタ支持部５７、５８に支持されたシャッタ部材６０は、図５〜図８に示しているように、横長に形成された基部６１と、基部６１の両側に突設されシャッタ支持部５７、５８に係合する軸部６２、６３と、基部６１の前部から上方へ突出する突起６４と、基部６１の前縁から下方に延びたシャッタ板６５と、一方の軸部６３から前方に延びた腕部６６と、腕部６６の先端に取り付けられ軸部６３と平行な軸を中心に回転するローラ６７とによって構成されている。
【００４０】
シャッタ部材６０は、常時は、そのシャッタ板６５の下端位置がカードスロット２１のスリット３４の下縁より低い位置となり、ローラ６７の回転中心がシャッタ板６５よりも前方に位置し、且つその外周の下端位置がシャッタ板６５の下端位置より低くなるように支持されており、カードスロット２１のスリット３４から正規厚のＩＣカードが挿入されたとき、そのＩＣカードの先端縁を外周下部に当接させ、ＩＣカードの挿入力を腕部６６を介して軸部６３に伝達して、シャッタ板６５をＩＣカードの厚さに対応した距離だけ上方側へ回動移動させ、挿入されたＩＣカードがスリット３４を通過して基板３７の下面側へ進入できるようにする。
【００４１】
また、正規厚より薄いカード状の異物や、幅が狭くローラ６７の内側を通過するようなカード状の異物が挿入された場合には、シャッタ板６５の上方への移動距離が短いかあるいは全く移動しないので、その異物はシャッタ板６５に当接して、基板３７の下面３７ａへの進入は阻止される。
【００４２】
一方、基板３７の上面３７ｂ側に立設された支持軸４７、４８には、接触子ブロック７０が支持されている。
【００４３】
接触子ブロック７０は、図９に示すように、略矩形の基板７１を有し、基板７１の上面のほぼ中央には、上方に突出する円柱状の突起７２が設けられ、その両側には腕部７３、７４が対称に延設されている。
【００４４】
腕部７３、７４の先端側には、支持軸４７、４８を隙間のある状態で通過させる穴７５、７６が設けられている。また、突起７２と腕部７３、７４の間には、鉤状のフック７７、７８が突設されている。
【００４５】
基板７１の下面のほぼ中央には矩形状の接触子板７９が固定されている。接触子板７９の下面には、複数（ここでは８個）の接触子８０が突設されている。
【００４６】
これらの接触子８０は、異物とカードとの２重挿入による破損を防ぐために、従来の接触子に比べて下方への突出長が短く、しかも、強度（剛性）が大きく弾性変形が少なくなるように形成されている。
【００４７】
なお、基板７１の突起７２は、接触子板７９に設けられた複数の接触子群の中央位置の反対面側に位置しており、複数の接触子８０は、接触子板７９と基板７１との間に挟まれたフレキシブル基板８１を介して図示しない回路基板に接続される。
【００４８】
この接触子ブロック７０は、腕部７３、７４の穴７５、７６に挿通された支持軸４７、４８によって、接触子板７９が穴４５を通過するように上下動が可能で、且つ穴４５の内部で左右方向、前後方向に揺動ができるように支持されている。
【００４９】
接触子ブロック７０の上方には、可動部材８５の第１の板部８６が延びている。可動部材８５は、この実施形態の検知部を形成するものであり、図１３に示しているように、略矩形の第１の板部８６と、第１の板部８６の後端から下方に延びた略矩形の第２の板部８７とによってＬ字状に形成されている。
【００５０】
第１の板部８６の後部には、幅方向に貫通する軸穴８８が設けられ、第１の板部８６の先端側の両側部には、接触子ブロック７０のフック７７、７８に係合するピン８９、９０が突設されている。また、第１の板部８６の後端の一方の側部には、バネフック９１が突設されている。
【００５１】
可動部材８５は、軸穴８７を通過し軸受４９、５０に両端を支持された軸９２によって、第１の板部８６の先端側で接触子ブロック７０を吊るすように支持し、且つ第２の板部８７の下端を穴４６から基板３７ａの下面側へ突出させた状態で、軸９２を中心に回動できるように支持されている。
【００５２】
また、軸９２の一端側にはバネ９３が取り付けられ、このバネ９３の一端側がバネフック９１にかけられ、他端側が基板３７のバネフック５１にかけられており、可動部材８５は、このバネ９３によって常に第２の板部８７の下端内面側が穴４６の前端側の壁面に当接する方向に付勢されている。
【００５３】
また、可動部材８５の第１の板部８６の先端側の下面と接触子ブロック７０の突起７２との間には、弾性部材としてのコイルバネ９４が挟まれるように取り付けられている。
【００５４】
コイルバネ９４は、弾性変形した状態で可動部材８５の第１の板部８６と突起７２の間に挟まれており、その弾性復帰力を接触子ブロック７０の基板７１のほぼ中央部分、即ち、複数の接触子群のほぼ中央位置に対応する位置に集中的に加えている。
【００５５】
レール部材９５は、ベース部材３６の基板３７の溝４３の右側にオーバラップするように前後方向に延びて挿入されるＩＣカードの幅方向の一方の縁部を下方から支持するレール部９６と、レール部９６の後部から基板３７の後部側を覆うように延びて、挿入されるＩＣカードの先端縁を下方から支持してストッパ５２に当接するまで案内する支持部９７とによってＬ字状に形成されている。
【００５６】
図１１に示しているように、レール部材９５のレール部９６の内側の壁面９６ａと、溝４４の内側の壁面４４ａとの隙間は、正規のＩＣカード２枚分の厚さより十分大きくなるように形成されている。また、案内部９７と基板３７側の第２の規制部５２の下面との隙間は、正規のＩＣカード１枚分の厚さより大きく、正規のＩＣカード２枚分の厚さより小さくなるように設定されている。
【００５７】
カバー１００は、ベース部材３６の上面側を覆うように形成されており、その前端下面側には、シャッタ部材６０の突起６４を下方へ押圧して、シャッタ部材６０を常に閉じる方向に付勢する板バネ１０１が取り付けられている。
【００５８】
以上のように構成されたＩＣカード処理装置２０では、正規のＩＣカード１が図１２に示すように、カードスロット２１のスリット３４に挿入されて、その先端がシャッタ部材６０のローラ６７（図１２では図示せず）の下部外周に当接すると、シャッタ部材６０が上方へ回動してＩＣカード１の進入を可能にする。
【００５９】
シャッタ部材６０の下方を通過したＩＣカード１は、スリット３４とレール部材９５のレール部９６によって下方から支持され、且つスリット３４、第１の規制部４３の壁面４３ａ、第３の規制部５５の壁面５５ａによって幅方向の移動が規制された状態で奥へ進む。
【００６０】
そして、図１３に示すように、ＩＣカード１の先端がレール部材９５の支持部９７に乗り上げるように進入し、可動部材８５の第２の板部８７の下端に当接する。なお、このとき、ＩＣカード１の先端部分の幅方向の移動は、第１の規制部４３と第４の規制部５６によって規制される。
【００６１】
さらにＩＣカード１を奥側へ押すと、図１４のように、可動部材８５が反時計回りに回動して接触子ブロック７０を下降させてＩＣカード１の一面側へ移動させ、ＩＣカード１の先端がストッパ５３に当接する所定位置に達したときには、接触子ブロック７０の接触子８０がＩＣカード１の上面の端子（図示せず）に適度な接触圧でそれぞれ接触する。
【００６２】
なお、このとき、可動部材８５の第２の板部８７の下端は、ＩＣカード１の上面に当接した状態となり、可動部材８５を付勢しているバネ９３の復帰力はＩＣカード１をカードスロット２１側に戻す方向には作用せず、ＩＣカード１から手を離してもＩＣカード１はその先端がストッパ５３に当接した位置に保持される。
【００６３】
このようにして所定位置まで挿入されたＩＣカード１の端子に接触子ブロック７０の各接触子８０が適度な接触圧で接触することにより、このＩＣカード１との間の情報の授受を確実に行うことができる。
【００６４】
また、長さが正規のものより短い（例えば半分以下）のカード状の異物が挿入された場合、その異物の後端がスリット３４を通過すると、その異物に対する下方からの支持はレール部９６だけとなる。
【００６５】
このため、図１５に示すように、異物２の一方の縁部２ａはレール部９６上にある状態で他方の縁部２ｂ側が下方へ大きく傾き、この傾きにより一方の縁部２ａがレール部９６からはずれて下方へ落下する。
【００６６】
なお、レール部９６の上方には、基板３７の上面側へ陥没する溝４４が設けられているので、異物２の一方の縁部２ａ側の回動が規制されず、異物２を確実に落下させることができる。
【００６７】
また、図１６に示すように、長さの短いカード状の異物２が、その後端がスリット３４を僅かに超えた位置にある状態で、ＩＣカード１が挿入されると、異物２はその後端をＩＣカード１に押されて奥へ進入し、その後端が基板３７の前端を通過すると前記したように一方の縁部２ｂ側が下降する。
【００６８】
このため、図１７に示すように、異物２は、その後端縁の一端側をＩＣカード１の先端縁の一端側に押されながら奥側に進むことになる。
【００６９】
ここで、ＩＣカード１の挿入速度が遅い場合、異物２の縁部２ａは、その先端が支持部９７に達する前にレール部９６から外れて前記したように落下排出される。このためＩＣカード１を所定位置まで挿入することができる。
【００７０】
また、ＩＣカード１の挿入速度が速い場合、異物２は、その縁部２ａがレール部９６から外れる前に支持部９７に達してしまうが、このとき異物２は、縁部２ｂが反対側の縁部２ａより下がるように傾くため、図１８に示すように、異物２の後端縁とＩＣカード１の先端縁とは、レール部９６側で交差するように当接する。
【００７１】
このため、図１８に示しているように、異物２は下面側から見て左回りの回転力を受けながら奥へ進み、異物２の縁部２ｂが第３の規制部５５を通過して異物２に対する幅方向の規制がなくなると、異物２が左回りに大きく回転し、図１９に示すように、縁部２ａの先端側の隅部が可動部材８５の第２の板部８７と第１の規制部４３の後端との間の範囲でストッパ５３に点接触するように当接し、異物２の後部左側の上にＩＣカード１の前部左側が重なる状態で停止する。
【００７２】
このため、この異物２は可動部材８５の第２の板部８７に当接しないか、あるいは当接しても第２の板部８７を十分に押し切ることができず、図２０に示すように、接触子ブロック７０が下降しないか、あるいは下降量が少なくなる。
【００７３】
したがって、この状態からＩＣカード１を強引に押し込んだとしても、ＩＣカード１の先端は、図２１に示すように、接触子８０に無理な力を与えることなく、異物２と接触子ブロック７０との間を通過する。
【００７４】
また、接触子ブロック７０が多少下降していても、ＩＣカード１の挿入力を受けた接触子ブロック７０がその力をコイルバネ９４へ伝達するので、コイルバネ９４が縮んで、接触子ブロック７０を上方へ移動させ、ＩＣカード１を無理なく通過させる。
【００７５】
異物２と接触子８０との間を無理なく通過したＩＣカード１は、その先端がレール部材９６の支持部９７の上部で異物２と基板３７の第２の規制部５２の下面との隙間に嵌入した位置で停止し、可動部材８５の第２の板部８７に当接する位置まで達することはできない。
【００７６】
したがって、このＩＣカード１を利用することができず、このＩＣカード１を挿入した者はＩＣカード１を引き抜くことになる。
【００７７】
このとき、ＩＣカード１の先端と異物２の先端は、案内部９７と第２の規制部５２との間に強く嵌入した状態にあり、両者の間に生じた強い摩擦力により、ＩＣカード１とともに異物２がカードスロット２１側に移動し、図２２に示すように、異物２の縁部２ｂが第３の規制部５５の角に当接し、この当接箇所を支点として右回りに回転して姿勢が戻り、その先端側が支持部９７上から外れると、下方からの支持がレール部９６によるものだけになって下方へ落下する。
【００７８】
したがって、ＩＣカード１を引き抜いた者がＩＣカード１を再度挿入すれば、そのＩＣカード１は正しく所定位置まで進入し、その端子に接触子８０が正しく接触し、情報の授受を確実に行うことができる。
【００７９】
以上のように、この実施形態のカード処理装置２０では、カードの幅方向の移動を規制するための一対の幅方向規制部の一方側を、基板３７の前端部分に設けられた第３の規制部５５と後端部分に設けられた第４の規制部５６とによって形成し、第３の規制部５５と第４の規制部５６との間が側方に向かって開口するようにしている。
【００８０】
このため、正規長より短いカード状の異物２がＩＣカード１によって押し込まれたときに、第３の規制部５５と第４の規制部５６との間の開口部分を利用して異物２を回転させることにより、異物２の可動部材８５への当接を避けることができ、異物２による接触子８０の下降を防ぐことができ、異物２に続いて挿入されたＩＣカード１による接触子８０の破損を防止できる。
【００８１】
なお、前記したＩＣカード処理装置２０では、ＩＣカードの挿入を検知するための検知部材としての可動部材８５が、接触子群の後の位置でＩＣカードの挿入力を受けていたが、これは、本発明を限定するものでなく、検知部材は、接触子群とストッパ５３との間の範囲で、且つ接触子群の後方位置から第４の規制部５６までの範囲でＩＣカードを検知すればよく、このようにすれば、カード状の異物が検知部材で検知されて接触子が下降するのを防ぐことができる。
【００８２】
また、前記実施形態では、ＩＣカードの所定位置近傍までの進入を可動部材８５によって機械的に検知して接触子ブロックを移動していたが、検知部材としてスイッチ等の電気的なセンサやフォトカプラ等の光学的なセンサを用いてＩＣカードの所定位置近傍までの進入を検知し、その検知信号によってモータやプランジャ等を駆動して接触子ブロック７０をＩＣカードの一面側に移動させるＩＣカード処理装置においても本発明を同様に適用できる。
【００８３】
また、前記実施形態では、第３の規制部５５と第４の規制部５６との間が側方に向かって開口するようにして構成していたが、第３の規制部５５と第４の規制部５６の間の第１の規制部４３の壁面からの距離をＩＣカードの幅寸法に対して十分広くとって、カード状の異物がほぼ水平面上で回転できるようにしておけば、第３の規制部５５と第４の規制部５６との間の側方を壁部材で閉口することもできる。
【００８４】
【発明の効果】
以上説明したように、本発明のＩＣカード処理装置は、
略矩形の基板と、
前記基板の下面両側に互いに対向するように突設され、前記基板の下面に沿ってその前端側から挿入されるＩＣカードの幅方向の移動を互いに対向する壁面で両側から規制する一対の幅方向規制部と、
前記一方の幅方向規制部の下縁に沿って設けられ、ＩＣカードの幅方向の一方の縁部の下方への移動を規制するレール部と、
前記基板の下面の後端側に設けられ、前記幅方向規制部によって幅方向の移動が規制され且つ前記レール部によって幅方向の一方の縁部の下方への移動を規制された状態で進入するＩＣカードの先端に当接して、ＩＣカードを所定位置で停止させるストッパと、
前記ストッパより前方の位置で前記基板に対して上下動自在に支持され、下面側に複数の接触子を有する接触子ブロックと、
前記複数の接触子と前記ストッパとの間の位置範囲でＩＣカードの挿入を検知する検知部材とを備え、
前記検知部材によって検知されて前記所定位置まで進入したＩＣカードの一面側に前記接触子ブロックを移動して前記複数の接触子をＩＣカードの端子に接触させ、該ＩＣカードとの間で情報の授受を行うＩＣカード処理装置において、
前記一方の幅方向規制部が前記基板の前端から前記ストッパ近傍までほぼ連続的に形成され、
前記他方の幅方向規制部は、前記基板の前端近傍に設けられた第１規制部と、前記ストッパ近傍に設けられた第２規制部とからなり、前記第１規制部と第２規制部との間が側方へ向かって開口または前記一方の幅方向規制部の壁面からの距離がＩＣカードの幅寸法に対して十分広くなるように形成されているとともに、
前記検知部材は、前記複数の接触子群の後方位置から前記他方の幅方向規制部の第２規制部の間でＩＣカードの挿入を検知することを特徴としている。
【００８５】
このため、正規長より短いカード状の異物がＩＣカードによって押し込まれたときに、他方の幅方向規制部の第１規制部と第２規制部との間の部分によって異物を回転させて検知部材によるカード検知を避け、異物に対する接触子の下降を防ぐことができ、挿入されたＩＣカードによる接触子の破損を防止できる。
【図面の簡単な説明】
【図１】本発明の実施形態の平面図
【図２】本発明の実施形態の正面図
【図３】本発明の実施形態の側面図
【図４】本発明の実施形態の底面図
【図５】本発明の実施形態のカードスロットを外した状態の平面図
【図６】本発明の実施形態のカードスロットを外した状態の正面図
【図７】本発明の実施形態のカードスロットを外した状態の底面図
【図８】本発明の実施形態のカードスロットとレール部材を外した状態の底面図
【図９】本発明の実施形態の要部の分解斜視図
【図１０】図１のＣ−Ｃ線拡大断面図
【図１１】図５のＤ−Ｄ線拡大断面図
【図１２】実施形態の正規カード挿入時の動作を説明するための概略図
【図１３】実施形態の正規カード挿入時の動作を説明するための概略図
【図１４】実施形態の正規カード挿入時の動作を説明するための概略図
【図１５】実施形態の短いカード状の異物挿入時の動作を説明するための概略図
【図１６】実施形態の異物と正規カードの２重挿入時の動作を説明するための概略図
【図１７】実施形態の異物と正規カードの２重挿入時の動作を説明するための概略図
【図１８】実施形態の異物と正規カードの２重挿入時の動作を説明するための概略図
【図１９】実施形態の異物と正規カードの２重挿入時の動作を説明するための概略図
【図２０】実施形態の異物と正規カードの２重挿入時の動作を説明するための概略図
【図２１】実施形態の異物と正規カードの２重挿入時の動作を説明するための概略図
【図２２】実施形態の異物と正規カードの２重挿入時の動作を説明するための概略図
【図２３】従来装置の概略平面図
【図２４】従来装置の概略正面図
【図２５】従来装置の概略底面図
【図２６】図２３のＡ−Ａ線断面図
【図２７】図２３のＢ−Ｂ線断面図
【図２８】従来装置の正規カード挿入時の動作を説明するための概略図
【図２９】従来装置の短いカード状の異物挿入時の動作を説明するための概略図
【図３０】従来装置の短いカード状の異物挿入時の動作を説明するための概略図
【図３１】従来装置の異物と正規カードの２重挿入時の動作を説明するための概略図
【符号の説明】
１  ＩＣカード
２  異物
２０  ＩＣカード処理装置
２１  カードスロット
３４  スリット
３５  処理装置本体
３６  ベース部材
３７  基板
３８、３９  側板
４０  後板
４１  前板
４３  第１の規制部
４４  溝
４５、４６  穴
４７、４８  支持軸
４９、５０  軸受け
５１  バネフック
５２  第２の規制部
５３  ストッパ
５５  第３の規制部
５６  第４の規制部
５７、５８  シャッタ支持部
６０  シャッタ部材
６１  基部
６２、６３  軸部
６４  突起
６５  シャッタ板
６６  腕部
６７  ローラ
７０  接触子ブロック
７１  基板
７２  突起
７３、７４  腕部
７５、７６  穴
７７、７８  フック
７９  接触子板
８０  接触子
８１  フレキシブル基板
８５  可動部材
８６  第１の板部
８７  第２の板部
８８  穴
８９、９０  ピン
９１  バネフック
９２  軸
９３  バネ
９５  レール部材
９６  レール部
９７  支持部
１００  カバー
１０１  板バネ
【図１】
0003656987.tif 000002
【図２】
0003656987.tif 000003
【図３】
0003656987.tif 000004
【図４】
0003656987.tif 000005
【図５】
0003656987.tif 000006
【図６】
0003656987.tif 000007
【図７】
0003656987.tif 000008
【図８】
0003656987.tif 000009
【図９】
0003656987.tif 000010
【図１０】
0003656987.tif 000011
【図１１】
0003656987.tif 000012
【図１２】
0003656987.tif 000013
【図１３】
0003656987.tif 000014
【図１４】
0003656987.tif 000015
【図１５】
0003656987.tif 000016
【図１６】
0003656987.tif 000017
【図１７】
0003656987.tif 000018
【図１８】
0003656987.tif 000019
【図１９】
0003656987.tif 000020
【図２０】
0003656987.tif 000021
【図２１】
0003656987.tif 000022
【図２２】
0003656987.tif 000023
【図２３】
0003656987.tif 000024
【図２４】
0003656987.tif 000025
【図２５】
0003656987.tif 000026
【図２６】
0003656987.tif 000027
【図２７】
0003656987.tif 000028
【図２８】
0003656987.tif 000029
【図２９】
0003656987.tif 000030
【図３０】
0003656987.tif 000031
【図３１】
0003656987.tif 000032